(57)【要約】【課題】排出トレイに出力される出力物を空調装置による送風から守る。【解決手段】画像形成装置１は、印刷データに基づいて印刷を実行する印刷部１５と、印刷部１５からの出力物を積載する排出トレイ１６とを備え、空調装置３による空調制御が行われている室内に設置されており、空調装置３と通信する通信部１７と、空調装置３による空調制御の送風設定を受け付ける送風設定受け付け部１９１と、印刷部１５によって印刷を実行する際に、通信部１７を介して、送風設定を送信する送風設定送信部１９５とを備えている。【選択図】図１
2018054721.tif 000002
【特許請求の範囲】
【請求項１】
印刷データに基づいて印刷を実行する印刷部と、該印刷部からの出力物を積載する排出トレイとを備え、空調装置による空調制御が行われている室内に設置された画像形成装置であって、
前記空調装置と通信する通信部と、
前記空調装置による空調制御の送風設定を受け付ける送風設定受け付け部と、
前記印刷部によって印刷を実行する際に、前記通信部を介して、前記送風設定を送信する送風設定送信部と
を備えたことを特徴とする画像形成装置。
【請求項２】
前記送風設定は、
前記空調装置による送風の向きを制限する設定である
ことを特徴とする請求項１に記載の画像形成装置。
【請求項３】
前記送風設定は、
前記空調装置による送風の風量を制限する設定である
ことを特徴とする請求項１又は２に記載の画像形成装置。
【請求項４】
前記送風設定送信部は、
前記空調装置に前記送風設定を送信してから特定の送風制御時間が経過すると、前記通信部を介して、前記空調装置に前記送風設定に基づく送風制御を終了させる制御終了指示を送信する
ことを特徴とする請求項１から３までのいずれか１項に記載の画像形成装置。
【請求項５】
前記印刷データにＯＣＲ処理を実行して、機密文書を検出する機密文書検出部を備え、
前記送風設定送信部は、
前記機密文書検出部により前記機密文書が検出された場合に、前記空調装置に前記送風設定を送信する
ことを特徴とする請求項１から４までのいずれか１項に記載の画像形成装置。
【請求項６】
前記室内の温度を取得する室温取得部と、
前記室内の温度に基づいて前記出力物のカール有無を判断するカール判断部とを備え、
前記送風設定送信部は、
前記カール判断部により前記出力物がカールありと判断された場合に、前記空調装置に前記送風設定を送信する
ことを特徴とする請求項１から５までのいずれか１項に記載の画像形成装置。
【請求項７】
前記出力物が特定枚数以上あるかを検出する出力量検出部を備え、
前記送風設定送信部は、
前記出力量検出部により前記出力物が特定枚数以上ありと検出された場合に、前記空調装置に前記送風設定を送信する
ことを特徴とする請求項１から６までのいずれか１項に記載の画像形成装置。
【請求項８】
空調装置と、前記空調装置による空調制御が行われている室内に設置され、印刷データに基づいて印刷を実行する印刷部及び該印刷部からの出力物を積載する排出トレイを有する画像形成装置とを備えた画像形成システムであって、
前記画像形成装置は、
前記空調装置と通信する通信部と、
前記空調装置による空調制御の送風設定を受け付ける送風設定受け付け部と、
前記印刷部によって印刷を実行する際に、前記通信部を介して、前記送風設定を送信する送風設定送信部とを備え、
前記空調装置は、
前記画像形成装置から前記送風設定を受信する空調側通信部と、
前記送風設定に基づいて空調制御を実行する空調制御部とを備えた
ことを特徴とする画像形成システム。
【発明の詳細な説明】
【技術分野】
【０００１】
本発明は、空調装置による空調制御が行われている室内に設置された画像形成装置及び画像形成システムに関する。
【背景技術】
【０００２】
従来、複写機や複合機等の画像形成装置と空調装置とを連携させた技術が知られている（例えば、特許文献１、２を参照）。特許文献１の技術では、画像形成装置の背面に空調装置を取り付けて、空調装置からの風を筐体内部に送ることで、画像形成領域の温度及び湿度を所定範囲内に保っている。また、特許文献２の技術では、空調装置が室内の人の位置を把握して、人がいる領域に風向きを合わせるので、涼しい環境で画像形成装置を操作することができる。
【先行技術文献】
【特許文献】
【０００３】
【特許文献１】特開２００６−１１０７４３号公報
【特許文献２】特開２００８−１０１８７５号公報
【発明の概要】
【発明が解決しようとする課題】
【０００４】
ところで、画像形成装置においては、印刷した記録紙を出力物として排出トレイに出力して、ユーザーが取りに来るまで出力物を溜め置く仕組みになっている。しかしながら、従来の技術では、空調装置による送風で排出トレイから出力物が飛ばされたり落下したりすることを防げなかったという問題があった。
【０００５】
本発明は上記課題に鑑みてなされたものであり、排出トレイに出力される出力物を空調装置による送風から守ることができる技術を提供することを目的とする。
【課題を解決するための手段】
【０００６】
本発明の画像形成装置は、印刷データに基づいて印刷を実行する印刷部と、該印刷部からの出力物を積載する排出トレイとを備え、空調装置による空調制御が行われている室内に設置された画像形成装置であって、前記空調装置と通信する通信部と、前記空調装置による空調制御の送風設定を受け付ける送風設定受け付け部と、前記印刷部によって印刷を実行する際に、前記通信部を介して、前記送風設定を送信する送風設定送信部とを備えたことを特徴とする。
また、前記送風設定は、前記空調装置による送風の向きを制限する設定であってもよい。
また、前記送風設定は、前記空調装置による送風の風量を制限する設定であってもよい。
また、前記送風設定送信部は、前記空調装置に前記送風設定を送信してから特定の送風制御時間が経過すると、前記通信部を介して、前記空調装置に前記送風設定に基づく送風制御を終了させる制御終了指示を送信してもよい。
また、前記印刷データにＯＣＲ処理を実行して、機密文書を検出する機密文書検出部を備え、前記送風設定送信部は、前記機密文書検出部により前記機密文書が検出された場合に、前記空調装置に前記送風設定を送信してもよい。
また、前記室内の温度を取得する室温取得部と、前記室内の温度に基づいて前記出力物のカール有無を判断するカール判断部とを備え、前記送風設定送信部は、前記カール判断部により前記出力物がカールありと判断された場合に、前記空調装置に前記送風設定を送信してもよい。
また、前記出力物が特定枚数以上あるかを検出する出力量検出部を備え、前記送風設定送信部は、前記出力量検出部により前記出力物が特定枚数以上ありと検出された場合に、前記空調装置に前記送風設定を送信してもよい。
本発明の画像形成システムは、空調装置と、前記空調装置による空調制御が行われている室内に設置され、印刷データに基づいて印刷を実行する印刷部及び該印刷部からの出力物を積載する排出トレイを有する画像形成装置とを備えた画像形成システムであって、前記画像形成装置は、前記空調装置と通信する通信部と、前記空調装置による空調制御の送風設定を受け付ける送風設定受け付け部と、前記印刷部によって印刷を実行する際に、前記通信部を介して、前記送風設定を送信する送風設定送信部とを備え、前記空調装置は、前記画像形成装置から前記送風設定を受信する空調側通信部と、前記送風設定に基づいて空調制御を実行する空調制御部とを備えたことを特徴とする。
【発明の効果】
【０００７】
本発明によれば、排出トレイに出力される出力物を空調装置による送風から守ることができる。
【図面の簡単な説明】
【０００８】
【図１】本発明に係る実施形態の画像形成システムの概略構成を示す機能ブロック図である。
【図２】図１に示す空調装置情報の登録例である。
【図３】図１に示す画像形成装置の落下防止設定画面例である。
【図４】図１に示す画像形成装置の印刷処理の流れを示すフローチャートである。
【図５】図１に示す空調装置の送風制御処理の流れを示すフローチャートである。
【図６】図１に示す空調装置が画像形成装置に対して送風制御する様子を示したイメージ図である。
【発明を実施するための形態】
【０００９】
以下、図を参照して本発明の実施形態を詳細に説明する。なお、以下の実施形態において、同様の機能を示す構成には、同一の符号を付してある。
【００１０】
図１に示すように、本実施形態の画像形成システム１００は、画像形成装置１と複数の空調装置３とを備えている。画像形成装置１と複数の空調装置３とは、インターネット等のネットワーク２を介して接続されている。
【００１１】
画像形成装置１は、空調装置３による空調制御が行われている室内に設置されている。画像形成装置１は、  操作部１１と、原稿読み取り部１２と、記憶部１３と、画像処理部１４と、印刷部１５と、排出トレイ１６と、通信部１７と、室温取得部１８と、制御部１９とを備えている。これは、画像形成装置１の主要構成であり、これに加えて、ファクシミリ送受信部等の機能を備えてもよい。
【００１２】
操作部１１は、タッチパネルと操作ボタンを備えており、画像形成装置１の設定や動作指示を行うためのユーザーインターフェイスである。
【００１３】
原稿読み取り部１２は、スキャナーであり、原稿を読み取って画像データを取得する機能を有する。
【００１４】
記憶部１３は、半導体メモリーやＨＤＤ（Hard Disk Drive）等の記憶手段であり、原稿読み取り部１２が取得した画像データ、通信部１７が外部端末から受信した画像データ及び各種設定を記憶しておくことができる。また、記憶部１３は、画像形成装置１に送風可能な空調装置３が登録されている空調装置情報１３１を記憶している。
【００１５】
図２に示すように、空調装置情報１３１は、空調装置名と、ネットワーク２上のＩＰアドレスと、送風設定送信部１９５が送風設定として設定する風向きとを有している。空調装置情報１３１の各情報は、予めユーザーが登録する。送風設定として設定する風向きとしては、予めユーザーが空調装置３に対する画像形成装置１の設置位置に基づいて、画像形成装置１に送風しないための空調装置３の風向きを設定したものである。例えば、図２では、空調装置３としてエアーコンディショナーであるエアコンＡと扇風機Ｂとが登録されており、エアコンＡの風向きを上にすると共に、扇風機Ｂの風向きを左にすると、画像形成装置１の排出トレイ１６への送風を避けることができることを示している。
【００１６】
画像処理部１４は、画像データに対して所定の画像処理を行う手段である。画像処理部１４では、例えば、拡大縮小処理や、濃度調整、階調調整等の画像改善処理が行われる。
【００１７】
印刷部１５は、記憶部１３に記憶された画像データを印刷する印刷手段である。印刷部１５は、例えば、記憶部１３から読み出した画像データに基づき感光体ドラムの表面に潜像を形成し、トナーによってその潜像をトナー像とする画像形成を行う。つづいて、印刷部１５は、その感光体ドラムから記録紙にトナー像を転写させ、そのトナー像を記録紙に定着させて、排出トレイ１６に排紙する。印刷部１５からの出力物は、ユーザーが出力物を取りに来るまで、排出トレイ１６に積載される。
【００１８】
通信部１７は、無線接続又は有線接続によりインターネット等のネットワーク２に接続し、ネットワーク２を介してパーソナルコンピューター等の外部端末や、複数の空調装置３と通信する機能を有する。
【００１９】
室温取得部１８は、室内の温度（室温）を取得する機能を有する。例えば、室温取得部１８は、温度計であってもよい。なお、低グレードの画像形成装置１の場合、温度計が設けられていない場合がある。この場合、室温取得部１８は、空調装置情報１３１に空調装置３としてエアコンが登録されている場合に、エアコンが測定する室温を通信部１７経由で取得してもよい。
【００２０】
制御部１９は、操作部１１、原稿読み取り部１２、記憶部１３、画像処理部１４、印刷部１５、通信部１７及び室温取得部１８にそれぞれ接続されている。制御部１９は、ＲＯＭ、ＲＡＭ等を備えたマイクロコンピュータ等の情報処理部である。ＲＯＭには画像形成装置１の動作制御を行うための制御プログラムが記憶されている。制御部１９は、ＲＯＭに記憶されている制御プログラムを読み出し、制御プログラムをＲＡＭに展開させることで、装置全体の制御を行う。また、制御部１９は、送風設定受け付け部１９１と、機密文書検出部１９２と、カール判断部１９３と、出力量検出部１９４と、送風設定送信部１９５と、タイマー１９６として機能する。
【００２１】
送風設定受け付け部１９１は、図３に示す落下防止設定画面Ｇ６０を介して、空調装置３による空調制御の送風設定を受け付ける機能を有する。
【００２２】
落下防止設定画面Ｇ６０では、印刷を実行する際に、出力物が空調装置３による送風で落下しないように、空調装置３の送風設定を行うことができる。具体的には、落下防止設定画面Ｇ６０を介して、動作モードを有効にする「ＯＮ」６１ａ、「機密文書の印刷」６１ｂ、「用紙カール」６１ｃ、「出力物が一定以上」６１ｄ、「出力物あり」６１e及び無効にする「ＯＦＦ」６１ｆを設定することができる。「ＯＦＦ」６１ｆに設定すると、印刷を実行する際の空調装置３による空調制御の送風設定を変更しない。「ＯＮ」６１ａに設定すると、「機密文書の印刷」６１ｂ、「用紙カール」６１ｃ、「出力物が一定以上」６１ｄ及び「出力物あり」６１eの選択項目の中からいずれか１つ以上を選択して設定することができる。「ＯＮ」６１ａに設定したときに、いずれの選択項目（６１ｂ〜６１ｅ）もユーザーが選択しなかった場合は、「出力物あり」６１ｅがデフォルトで設定される。
【００２３】
「機密文書の印刷」６１ｂに設定した場合、送風設定受け付け部１９１は、印刷部１５によって機密文書の印刷を実行する際に、空調装置３による送風を停止にする送風設定として受け付ける。
【００２４】
「用紙カール」６１ｃに設定した場合、送風設定受け付け部１９１は、室温が高い場合に印刷部１５によって印刷を実行する際に、空調装置３による送風の向きを制限する送風設定として受け付ける。
【００２５】
「出力物が一定以上」６１ｄに設定した場合、送風設定受け付け部１９１は、印刷部１５による印刷の実行で排出トレイ１６の出力物が一定以上となる場合に、空調装置３による送風の風量を微弱に制限する送風設定として受け付ける。
【００２６】
「出力物あり」６１ｅに設定した場合、送風設定受け付け部１９１は、印刷部１５によって印刷を実行する際に、空調装置３による送風の風量を弱に制限する送風設定として受け付ける。つまり、「出力物あり」６１ｅに設定した場合、出力枚数に関係なく、印刷部１５によって印刷を実行する度に、空調装置３による送風の風量を制限する送風設定が行われる。
【００２７】
「ＯＫ」ボタンＢ６２が押されると、送風設定受け付け部１９１は、落下防止設定画面Ｇ６０の設定に対応して送風設定を受け付ける。
【００２８】
機密文書検出部１９２は、印刷データに対してＯＣＲ処理を実行し、「秘密」、「機密」、「confidential」又は「重要」等の機密文書である旨を示す特定の単語や印を検出することで、印刷データを機密文書として検出する機能を有する。機密文書検出部１９２は、落下防止設定画面Ｇ６０で「機密文書の印刷」６１ｂが設定された場合に、機密文書の検出を実行する。機密文書を示す単語や印は表紙に記載されることが多いので、機密文書検出部１９２は、印刷データの１頁目（表紙）だけにＯＣＲ処理を実行してもよい。
【００２９】
カール判断部１９３は、室温取得部１８により取得された室温に基づいて出力物のカール有無を判断する機能を有する。例えば、カール判断部１９３は、室温が特定温度以上である場合に、排出トレイ１６に出力される出力物がカールしていると判断し、室温が特定温度未満である場合、出力物がカールしていないと判断する。カール判断部１９３は、落下防止設定画面Ｇ６０で「用紙カール」６１ｃが設定された場合に、出力物のカール有無を判断する。
【００３０】
出力量検出部１９４は、排出トレイ１６に積載される出力物の量を検出する機能を有する。落下防止設定画面Ｇ６０で「出力物が一定以上」６１ｅが設定された場合、出力量検出部１９４は、印刷データに基づく印刷枚数を積算した場合の単位時間あたり（例えば１０分等）の出力枚数が特定枚数以上になる場合に、排出トレイ１６の出力量が一定以上であることを検出する。つまり、印刷データによる印刷枚数だけでなく、例えば他ユーザーによる直近の印刷枚数分の出力物が排出トレイ１６に積載されているものとして出力量が検出される。なお、出力量検出部１９４は、排出トレイ１６の出力物の有無を検知する有無検知センサーや、排出トレイ１６の出力物の枚数が最大積載枚数に達していることを検知するフル検知センサー等を備えてもよい。
【００３１】
送風設定送信部１９５は、送風設定受け付け部１９１が受け付けた送風設定を空調装置情報１３１に登録されている空調装置３へ通信部１７経由で送信する機能を有する。例えば、送風設定送信部１９５は、送風設定として、空調装置３の送風の風向きを排出トレイ１６と異なる方向に設定する風向き制限設定を送信したり、空調装置３に送風を停止させたり（風量ゼロ）、風量を弱めさせる風量制限設定を送信したりする。また、送風設定送信部１９５は、空調装置３に送風設定に基づく送風制御を継続させる送風制御時間をタイマー１９６に計測させる。送風制御時間が終了すると、送風設定送信部１９５は、送風設定に基づく送風制御を終了させる制御終了指示を通信部１７経由で空調装置３に送信する。なお、送風設定又は制御終了指示の送信先である空調装置３が電源ＯＦＦであった場合、送信された送風設定又は制御終了指示は受信されないため、そのパケットが破棄される。
【００３２】
タイマー１９６は、送風制御時間を計測する機能を有する。送風制御時間は、送風設定送信部１９５が送信した送風設定による送風制御を空調装置３に継続させる時間である。
【００３３】
空調装置３は、通信部３１と、空調制御部３２と、設定待避部３３と、空調部３４とを備えている。これは、複数の空調装置３に共通する主要構成であり、これに加えて、空調装置３毎に他の機能を備えてもよい。
【００３４】
通信部３１は、Ｗｉ−Ｆｉ（登録商標）等の無線によりネットワーク２に接続し、画像形成装置１との間で通信する機能を有する。
【００３５】
空調制御部３２は、通信部３１、設定待避部３３及び空調部３４にそれぞれ接続されている。空調制御部３２は、ＲＯＭ、ＲＡＭ等を備えたマイクロコンピュータ等の情報処理部である。ＲＯＭには空調装置３の動作制御を行うための制御プログラムが記憶されている。空調制御部３２は、ＲＯＭに記憶されている制御プログラムを読み出し、制御プログラムをＲＡＭに展開させることで、装置全体の制御を行う。
【００３６】
例えば、空調制御部３２は、ユーザーや空調装置３を管理する管理センターからの制御指示に従って、空調部３４に通常運転を実行させる。また、空調制御部３２は、通信部３１経由で画像形成装置１から送風設定を受信した場合に、現在の通常運転の設定内容を設定待避部３３に一時的に待避させて、空調部３４に画像形成装置１からの送風設定に基づく空調運転を実行させる。通信部３１経由で画像形成装置１から制御終了指示を受信すると、空調制御部３２は、設定待避部３３に待避させていた通常運転の設定を反映させ、空調部３４に通常運転を再開させる。
【００３７】
設定待避部３３は、半導体メモリーやＨＤＤ等の記憶手段であり、通常運転の設定内容を記憶する機能を有する。
【００３８】
空調部３４は、送風により室内の空気を循環させたり、室温を下げたり上げたり、湿度を調整したりする機能を有する。また、空調部３４は、送風設定として、首振りやルーバー角度調整により送風の向きを調整する機能や、送風の風量を調整する機能を備えている。
【００３９】
次に、図４を参照して、画像形成装置１の印刷処理の流れを説明する。
【００４０】
制御部１９は、原稿読み取り部１２や外部端末からの印刷データを取得すると（ステップｓ１１）、落下防止設定画面Ｇ６０で動作モード「ＯＮ」６１ａが設定されたか否かを判断する（ステップｓ１２）。動作モード「ＯＮ」６１ａが設定されている場合（ステップｓ１２でＹｅｓ）、制御部１９は、落下防止設定画面Ｇ６０で「機密文書の印刷」６１ｂが設定されているか否かを判断する（ステップｓ１３でＹｅｓ）。
【００４１】
「機密文書」６１ｂが設定されている場合（ステップｓ１３でＹｅｓ）、機密文書検出部１９２は、印刷データにＯＣＲ処理を実行し（ステップｓ１４）、機密文書として検出したか否かを判断する（ステップｓ１５）。
【００４２】
機密文書として検出されると（ステップｓ１５でＹｅｓ）、送風設定送信部１９５は、空調装置情報１３１を参照して、登録されている空調装置３に送風設定受け付け部１９１が受け付けた送風設定として送風を停止させる設定（送風停止設定）を通信部１７経由で送信する（ステップｓ１６）。送風を停止させることにより、機密文書を空調装置３による送風から確実に守れるからである。つづいて、送風設定送信部１９５は、送風制御時間を計測するタイマー１９６を開始するステップｓ１７に処理を進める。
【００４３】
一方、「機密文書の印刷」６１ｂが設定されていない場合や（ステップｓ１３でＮｏ）、機密文書として検出されなかった場合（ステップｓ１５でＮｏ）、制御部１９は、「用紙カール」６１ｃが設定されているか否かを判断する（ステップｓ２１）。
【００４４】
「用紙カール」６１ｃが設定されている場合（ステップｓ２１でＹｅｓ）、室温取得部１８は、室温を取得し（ステップｓ２２）、カール判断部１９３は、室温取得部１８が取得した室温に基づいて出力物のカール有無を判断する（ステップｓ２３）。例えば、カール判断部１９３は、室温取得部１８が取得した室温が予め設定された特定温度以上である場合に、カールありと判断する。
【００４５】
カールありの場合（ステップｓ２３でＹｅｓ）、送風設定送信部１９５は、空調装置情報１３１を参照して、送風設定受け付け部１９１が受け付けた送風設定として、空調装置３の風向きを空調装置情報１３１で設定されている風向きに設定する風向き制限設定を通信部１７経由で空調装置３に送信する（ステップｓ２４）。これにより、空調装置３の風向きが画像形成装置１の排出トレイ１６と異なる方向に設定され、カールした出力物を空調装置３による風から守ることができる。また、この場合、室温が高いことから、空調装置３の風量は制御せず、風向きのみを変更している。つづいて、送風設定送信部１９５は、タイマー１９６を開始するステップｓ１７に処理を進める。
【００４６】
一方、「用紙カール」６１ｃが設定されていない場合や（ステップｓ２１でＮｏ）、カールなしの場合（ステップｓ２３でＮｏ）、制御部１９は、「出力物が一定以上あり」６１ｄが設定されているか否かを判断する（ステップｓ２５）。
【００４７】
「出力物が一定以上」６１ｄが設定されている場合（ステップｓ２５でＹｅｓ）、出力量検出部１９４は、単位時間あたりの出力枚数が特定枚数以上あるかを検出する（ステップｓ２６）。単位時間あたりの出力枚数が特定枚数以上である場合（ステップｓ２６でＹｅｓ）、排出トレイ１６に積載される出力物が多く、空調装置３による送風で飛び易いので、送風設定送信部１９５は、空調装置情報１３１を参照して、送風設定受け付け部１９１が受け付けた送風設定として、空調装置３の風量を微弱に設定する風量微弱設定を通信部１７経由で空調装置３に送信する（ステップｓ２７）。これにより、空調装置３からの送風が最低レベルまで弱まり、出力物を送風から守ることができる。つづいて、送風設定送信部１９５は、タイマー１９６を開始するステップｓ１７に処理を進める。
【００４８】
一方、「出力物が一定以上あり」６１ｄが設定されていない場合や（ステップｓ２５でＮｏ）、単位時間当たりの出力枚数が特定枚数未満である場合（ステップｓ２６でＮｏ）、送風設定送信部１９５は、「出力物あり」６１ｅが設定されているか否かを判断する（ステップｓ２８）。
【００４９】
「出力物あり」６１ｅが設定されている場合（ステップｓ２８でＹｅｓ）、送風設定送信部１９５は、送風設定受け付け部１９１が受け付けた送風設定として、空調装置３の風量を弱に設定する風量弱設定を通信部１７経由で空調装置３に送信する（ステップｓ２９）。これにより、空調装置３からの送風が低レベルに弱まるので、排出トレイ１６に出力される出力物を空調装置３による風から守ることができる。なお、「出力物あり」６１ｅに該当する場合は、「出力物が一定以上」６１ｄに該当する場合よりも、排出トレイ１６に積載される出力枚数が少ないと想定されるので、空調装置３の風量も「出力物が一定以上」６１ｄの場合よりも多く設定している。
【００５０】
「出力物あり」６１ｅが設定されていない場合や（ステップｓ２８でＮｏ）、落下防止設定画面Ｇ６０で動作モードが「ＯＦＦ」６１ｆに設定されている場合（ステップｓ１２でＮｏ）、送風設定送信部１９５は、送風設定受け付け部１９１が受け付けた送風設定として、空調装置３に送風設定を送信しない。そのため、空調装置３が通常運転している状態で、印刷部１５により印刷が実行され（ステップｓ３０）、本処理が終了する。
【００５１】
一方、送風設定送信部１９５は、空調装置３に送風設定を送信した場合に、送風制御時間をセットしたタイマー１９６を開始する（ステップｓ１７）。送風制御時間としては、ユーザーが画像形成装置１に印刷データを投入してから排出トレイ１６から印刷物を取り去るまでの平均時間（例えば、１０分等）を設定してもよい。なお、送風制御時間は、「機密文書の印刷」６１ｂ、「機密文書の印刷」６１ｂ、「用紙カール」６１ｃ、「出力物が多数」６１ｄ及び「出力物あり」６１ｅで異なってもよい。
【００５２】
つづいて、印刷部１５が印刷データに基づいて印刷を実行する（ステップｓ１８）。つづいて、送風設定送信部１９５は、タイマー１９６による送風制御時間の計測が終了するまで待機する（ステップｓ１９、ステップｓ１９でＮｏ）。つまり、印刷データによる印刷が終了してからしばらくは、空調装置３は画像形成装置１から送信された送風設定に基づいて送風制御を実行しているので、排出トレイ１６に出力された出力物が空調装置３による送風から守られた状態である。そのため、ユーザーが出力物を取りに行くまでに、出力物が排出トレイ１６から落下したり、排出トレイ１６上でバラバラになったりすることを防止することができる。
【００５３】
タイマー１９６が終了すると（ステップｓ１９でＹｅｓ）、送風設定送信部１９５は、送風制御時間が経過したことによりユーザーが排出トレイ１６から出力物を取り去ったものとみなして、空調装置３に送風設定に基づく送風制御を終了させる制御終了指示を送信して（ステップｓ２０）、本処理を終了する。これにより、排出トレイ１６から出力物が取り去られた後に、空調装置３を通常運転に戻すことができる。
【００５４】
なお、送風設定送信部１９５は、「機密文書の印刷」６１ｂ、「機密文書の印刷」６１ｂ、「用紙カール」６１ｃ、「出力物が多数」６１ｄ及び「出力物あり」６１ｅのいずれの場合も、送風設定受け付け部１９１が受け付けた送風設定として、空調装置３の送風の風向きを制限する設定を送信してもよいし、空調装置３の送風の風量を制限する設定を送信してもよいし、その両方の設定を送信してもよい。また、いずれの送風設定を送信するのか、ユーザーが設定可能であってもよい。また、送風設定送信部１９５は、「機密文書の印刷」６１ｂが設定されている場合に、送風停止設定と共に風向き制限設定を送信してもよい。これによれば、送風停止設定を送信しても、空調装置３の運転制御の関係で即座に停止できない場合に、風向き制限設定によって送風の停止処理中の風向きを変えることができる。
【００５５】
次に、図５を参照して、空調装置３の送風制御処理の流れを説明する。
【００５６】
空調装置３の空調制御部３２は、空調部３４を通常運転させており（ステップｓ４１）、画像形成装置１から通信部３１経由で送風設定を受信していない間は（ステップｓ４２、ステップｓ４２でＮｏ）、通常運転を継続させている（ステップｓ４１）。
【００５７】
送風設定を受信した場合（ステップｓ４２でＹｅｓ）、空調制御部３２、現在の通常運転の設定内容を設定待避部３３に待避させ（ステップｓ４３）、空調部３４に送風設定に基づく空調運転を実行させる（ステップｓ４４）。これにより、空調部３４は、風向きを画像形成装置１と異なる方向にしたり、風量を弱や微弱にしたりゼロ（送風停止）にしたりして、送風の向きや送風の風量を制限することで、画像形成装置１の排出トレイ１６に対して送風の影響を与えない空調運転を行う。
【００５８】
つづいて、空調制御部３２は、画像形成装置１から制御終了指示を受信したか否かを判断する（ステップｓ４５）。空調制御部３２は、通信部３１経由で制御終了指示を受信していない間（ステップｓ４５、ステップｓ４５でＮｏ）、空調部３４に送風設定に基づく空調運転を継続させる（ステップｓ４４）。
【００５９】
制御終了指示を受信した場合（ステップｓ４５でＹｅｓ）、空調制御部３２は、設定待避部３３に待避した設定に基づいて空調部３４に通常運転を再開させ（ステップｓ４６）、本処理を終了する。
【００６０】
これにより、例えば、図６に示すように、空調装置３であるエアコン３ａは、画像形成装置１が機密文書を出力する際に、通常運転での風向きαから、送風設定に基づいてルーバー３５の角度を制御することにより風向きβ（上）に変更し、画像形成装置１へ風が当たらないように調整する。また、空調装置３である扇風機３ｂは、通常運転で首振り運転をしていた場合に、送風設定を受信すると、首振り運転による風向きαから、送風設定に基づいて風向きβ（左）に風向きを固定して、画像形成装置１へ風が当たらないように調整する。そのため、画像形成装置１の排出トレイ１６に排出される出力物を空調装置３による送風から守ることができる。なお、排出トレイ１６は、画像形成装置１の胴内に形成される胴内排出トレイ１６ａであってもよいし、画像形成装置１の側面に突出して設けられる側面排出トレイ１６ｂであってもよい。
【００６１】
このように、本実施形態の画像形成装置１は、印刷データに基づいて印刷を実行する印刷部１５と、印刷部１５からの出力物を積載する排出トレイ１６とを備え、空調装置３による空調制御が行われている室内に設置されており、空調装置３と通信する通信部１７と、空調装置３による空調制御の送風設定を受け付ける送風設定受け付け部１９１と、印刷部１５によって印刷を実行する際に、通信部１７を介して、送風設定を送信する送風設定送信部１９５とを備えている。これにより、空調装置３は、送風設定に基づいて空調制御を実行できる。したがって、画像形成装置１が印刷を実行する際に、排出トレイ１６に出力される出力物を空調装置３による送風から守ることができ、出力物が排出トレイ１６から落下することを防止できる。
【００６２】
本発明は上述した実施の形態に限定されるものではなく、本発明の趣旨を逸脱しない範囲で種々様々に変更が可能であることは言うまでもない。
【符号の説明】
【００６３】
１  画像形成装置
２  ネットワーク
３  空調装置
３ａ  エアコン
３ｂ  扇風機
１１  操作部
１２  原稿読み取り部
１３  記憶部
１４  画像処理部
１５  印刷部
１６  排出トレイ
１６ａ  胴内排出トレイ
１６ｂ  側面排出トレイ
１７  通信部（画像形成装置側通信部）
１８  室温取得部
１９  制御部
３１  通信部（空調側通信部）
３２  空調制御部
３３  設定待避部
３４  空調部
３５  ルーバー
６１ａ  ＯＮ
６１ｂ  機密情報の印刷
６１ｃ  用紙カール
６１ｄ  出力物が一定以上ある
６１ｅ  出力物あり
６１ｆ  ＯＦＦ
１００  画像形成システム
１３１  空調装置情報
１９１  送風設定受け付け部
１９２  機密文書検出部
１９３  カール判断部
１９４  出力量検出部
１９５  送風設定送信部
１９６  タイマー
Ｇ６０  落下防止設定画面
α、β  風向き
【図１】
2018054721.tif 000003
【図２】
2018054721.tif 000004
【図３】
2018054721.tif 000005
【図４】
2018054721.tif 000006
【図５】
2018054721.tif 000007
【図６】
2018054721.tif 000008